【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
建物の開口部を被覆する可撓性カーテンシステムであって、
前記建物の開口部に固定されたフレームを有し、前記フレームが左右一対の案内トラックを有し、前記案内トラックが相互に対して鋭角を形成する位置にあり、前記鋭角が１°であり、可撓性カーテンをさらに有し、前記可撓性カーテンに底部バーが通っており、前記底部バーが、前記可撓性カーテンの外部に伸びる第１端部、第２端部を有し、前記第１端部、第２端部が変形部分を有し、前記バーの変形部分の各々が１°の鋭角にある面を有し、前記可撓性カーテンが建物の開口部を被覆し、外部の力の下で内方へ偏向しており、前記可撓性カーテンの偏向が、前記底部バーの変形部分をフレームと強制的に係合させることを特徴とする可撓性カーテンシステム。
【請求項２】
ウィンドロックシャッタに使用するシート状の可撓性カーテンであって、
３層構造の可撓性カーテンを有し、
前記可撓性カーテンが側縁を有し、前記可撓性カーテンの側縁が折り畳まれ、前記可撓性カーテンに固定され、
前記可撓性カーテンの折り畳まれた側縁の各々が、貫通する複数の駆動用孔を有し、
前記ウィンドロックシャッタが、前記可撓性カーテンの折り畳んだ側縁の駆動用孔、駆動部、可撓性カーテンと相互嵌合する嵌め歯を備えたカーテン開閉駆動用ギアを有し、
前記ウィンドロックシャッタが、左右一対の案内トラックを有し、
前記可撓性カーテンの折り畳んだ側縁が、前記案内トラックと密封的に相互係合することを特徴とするウィンドロックシャッタ用可撓性カーテン。
【請求項３】
前記可撓性カーテンが、底部と垂直に屈曲した底部バーとを有し、前記底部が折り畳まれており、前記底部バーが、前記可撓性カーテンの底部の折り畳まれた部分内に常駐していることを特徴とする請求項２に記載のウィンドロックシャッタ用可撓性カーテン。
【請求項４】
前記折り畳んだ側縁が、前記可撓性カーテンに糸で縫合されていることを特徴とする請求項３に記載のウィンドロックシャッタ用可撓性カーテン。
【請求項５】
前記折り畳んだ側縁が、前記可撓性カーテンに接着剤で接着されていることを特徴とする請求項３に記載のウィンドロックシャッタ用可撓性カーテン。
【請求項６】
前記折り畳んだ側縁が、前記可撓性カーテンに鋲留めされていることを特徴とする請求項３に記載のウィンドロックシャッタ用可撓性カーテン。
【請求項７】
前記固定が、前記折り畳んだ側縁の２／３を可撓性カーテンに固定することを特徴とする請求項３に記載のウィンドロックシャッタ用可撓性カーテン。
【請求項８】
前記折り畳んだ側縁の２／３に、貫通する駆動用孔を有することを特徴とする請求項７に記載のウィンドロックシャッタ用可撓性カーテン。
【請求項９】
前記駆動用孔にアイレットが、固定されていることを特徴とする請求項８に記載のウィンドロックシャッタ用可撓性カーテン。
【請求項１０】
前記可撓性シートが、ポリカーボネートであることを特徴とする請求項９に記載のウィンドロックシャッタ用可撓性カーテン。
【請求項１１】
ウィンドロックシャッタであって、
波形の可撓性カーテンと、
前記可撓性カーテンの波形部分内に、これを貫通して常駐する複数の引張ロッドとアダプタラックとを有し、前記アダプタラックが、前記アダプタラックと引張ロッドの係合によって、前記可撓性カーテンを駆動することを特徴とするウィンドロックシャッタ。
【請求項１２】
前記引張ロッドが端部を有し、前記端部が遮断部を有し、
前記シャッタが、前記引張ロッドの遮断部を係合し、これにより前記可撓性カーテンの偏向を規制するための、建物に固定された左右一対の案内トラックを有することを特徴とする請求項１１に記載のウィンドロックシャッタ。
【請求項１３】
前記引張ロッドが、前記案内トラックと相互係合する９０°の曲げ部を備えた部分を有することを特徴とする請求項１１に記載のウィンドロックシャッタ。
【請求項１４】
ウィンドロックシャッタであって、
駆動用孔を備えた波形の可撓性カーテンと、
前記可撓性カーテンの波形部分内に、これを貫通して常駐する複数の引張ロッドと、
前記可撓性カーテンを駆動するためのカーテン開閉駆動用ギアおよびアダプタラックとを有し、
前記カーテン開閉駆動用ギアが、前記可撓性カーテンの駆動用孔と係合し、前記アダプタラックが引張ロッドと係合することを特徴とするウィンドロックシャッタ。
【請求項１５】
遮断部とその端部とを備えた引張ロッドと、
前記引張ロッドの遮断部と係合して前記カーテンの偏向を規制する左右一対の案内トラックとを有することを特徴とする請求項１４に記載のウィンドロックシャッタ。
【請求項１６】
前記左右一対の案内トラックと相互係合するための９０°の曲げ部を設けた端部を備える引張ロッドを有することを特徴とする請求項１４に記載のウィンドロックシャッタ。
【請求項１７】
建物の開口部への望まない空気、液体、物体の侵入を防止する工程であって、
前記工程が可撓性カーテンを採用しており、
前記可撓性カーテンが、折り畳まれ、固定されていない自由なフラップ部分である前記側縁の１部分と共に固定された側縁を有し、前記建物に固定された左右一対の案内トラックを採用しており、
前記可撓性カーテンが、第１の開放位置と第２の閉鎖位置の間でカーテン開閉駆動用ギアにより駆動され、収容ロールを採用しており、
前記収容ロールが、前記可撓性カーテンを収容ロールとカーテン開閉駆動用ギアの間で収容および引張するためのものであり、横材と相互係合する底部バーを採用しており、
前記第１の開放位置から第２の閉鎖位置に達するまで、前記可撓性カーテンを駆動する段階と、
前記底部バーを前記横材と相互係合させて前記可撓性カーテンの底部において拘束する段階と、
前記カーテン開閉駆動用ギアで前記可撓性カーテンを拘束して前記可撓性カーテンの頂部において拘束する段階と、
前記フラップ部分を前記案内トラックと相互係合させる段階と、
前記可撓性カーテンに力が付加されると、前記フラップ部分を変形する段階と、
前記フラップ部分が前記案内トラックと係合した際に、前記可撓性カーテンの内方への偏向を規制する段階とを有することを特徴とする工程。
【請求項１８】
前記フラップ部分を案内トラックに対して変形させることによって衝撃を吸収する段階を有することを特徴とする請求項１７に記載の工程。
【請求項１９】
前記フラップ部分の左右一対の案内トラックに対する係合によって、前記可撓性カーテンが開口部に強制的に向けられる際に、前記開口部を密封する段階を有することを特徴とする請求項１７に記載の工程。
【請求項２０】
前記フラップ部分を案内トラックと係合させるべく嵌め込む段階を有することを特徴とする請求項１７に記載の工程。
【請求項２１】
前記可撓性カーテンを、前記収容ロールとカーテン開閉駆動用ギアの間で引張する段階を有することを特徴とする請求項１７に記載の工程。
【請求項２２】
前記左右一対の案内トラックが、相互に対して鋭角を形成する位置にあることを特徴とする請求項１７に記載の工程。
【請求項２３】
前記底部バーが湾曲した底部バーであり、前記横材が保持スロットを有することを特徴とする請求項１９に記載の工程。
【請求項２４】
空気、液体、物質の建物の開口部への望まない侵入を防止する工程であって、
前記工程が、相互に積層された第１重合体層、第２重合体層、繊維層を備えた可撓性カーテンを採用しており、前記可撓性カーテンが各側縁に折り畳んだフラップ部分を有し、前記フラップ部分が１部分を残して可撓性カーテンに部分的に固定され、前記建物に固定された左右一対の案内トラックを採用しており、前記可撓性カーテンが駆動用孔を有し、カーテン開閉駆動用ギアが前記駆動用孔と係合することで前記可撓性カーテンを第１の開放位置と第２の閉鎖位置の間で駆動し、
前記可撓性カーテンを第１の開放位置から第２の閉鎖位置に向かって下方へ駆動する段階と、
前記可撓性カーテンを建物の開口部へ向かう方向に引張する段階と、
前記可撓性カーテンを引張する際に前記フラップ部分の固定されていない部分を案内トラックと係合させる段階とを有することを特徴とする工程。
【請求項２５】
前記可撓性カーテンが、その各側縁に固定された半硬質片を有し、前記半硬質片が、１部の固定されない部分を残して前記可撓性カーテンに部分的に固定されていることを特徴とする請求項２４に記載の工程。
【請求項２６】
平面内に常駐するウィンドロック用可撓性カーテンであって、
可撓性の重合体材料を有し、
前記可撓性の重合体材料が左側縁と右側縁を備え、前記可撓性の重合体材料が駆動用孔を備え、
前記可撓性材料を、第１の開放位置から第２の閉鎖位置へと駆動するために、前記駆動用孔と相互係合する駆動嵌め歯を有し、
前記重合体材料に固定された底部バーをさらに有し、
左右一対の案内トラックを有し、
前記可撓性材料が第２の閉鎖位置へ駆動される際に、前記重合体材料に固定された底部バーを受容するための保持スロットを有し、
前記可撓性カーテンの平坦面内において、前記底部バーが垂直に曲げられていることを特徴とするウィンドロック用可撓性カーテン。
【請求項２７】
ウィンドロックシステムであって、
第１重合体シートと、
第２重合体シートと、
前記第１重合体シートと第２重合体シートの間に常駐する補強繊維とを有し、
前記第１シートが第２シートに積層され、前記補強繊維を固定し、或る長さの可撓性カーテンを形成し、
前記第１重合体シートがさらに第１切り込みと第２切り込みを有し、前記第１切り込みが第１フラップ部分を形成し、前記第２切り込みが第２フラップ部分を形成し、
前記第１フラップ部分と相互係合する案内トラックと、前記第２フラップ部分と相互係合する案内トラックとを有し、前記第１、第２切り込みが可撓性カーテンの長さにかけて連続して走行していることを特徴とするウィンドロックシステム。
【請求項２８】
左側、右側、中間部分を備える湾曲した底部バーを有し、
前記湾曲した底部バーが垂直に曲っており、前記可撓性カーテン内に固定されており、
保持スロットを備えた横材を有し、
前記湾曲したバーが前記スロット内に侵入し、これと相互係合することを特徴とする請求項２７に記載のウィンドロックシステム。
【請求項２９】
ウィンドロックシャッタに使用する可撓性カーテンであって、
各々が単一構造である第１、第２解除不可能な左右一対の案内トラックと、
解除不可能な可撓性カーテンとを有し、前記可撓性カーテンが、閉鎖位置にある際に、平坦面を画定し、前記可撓性カーテンが側縁を有し、
さらに、前記可撓性カーテンの側縁に固定された第１、第２の平坦な半硬質片を有し、
前記半硬質片が、前記案内トラックとそれぞれ密封的且つ解除不可能に係合可能であるため、前記平坦面に向かって力が付加された際に、前記可撓性カーテンが前記左右一対の案内トラックから解除不可能であることを特徴とするウィンドロックシャッタ用可撓性カーテン。
【請求項３０】
前記半硬質片が、前記可撓性カーテンの側縁に縫合することによって固定されていることを特徴とする請求項２９に記載のウィンドロックシャッタ用可撓性カーテン。
【請求項３１】
前記半硬質片が、前記可撓性カーテンの側縁に接着することによって固定されていることを特徴とする請求項２９に記載のウィンドロックシャッタ用可撓性カーテン。
【請求項３２】
前記半硬質片が、前記可撓性カーテンの側縁に溶接することによって固定されていることを特徴とする請求項２９に記載のウィンドロックシャッタ用可撓性カーテン。
【請求項３３】
前記半硬質片が、前記可撓性カーテンの側縁に鋲留めすることによって固定されていることを特徴とする請求項２９に記載のウィンドロックシャッタ用可撓性カーテン。
【請求項３４】
前記半硬質片が、可撓性カーテンに部分的に固定されており、前記部分的固定によって、自由なフラップ部分が作られることを特徴とする請求項２９に記載のウィンドロックシャッタ用可撓性カーテン。
【請求項３５】
建物の開口部付近に固定された左右一対の案内トラックと組み合わせて使用され、前記可撓性カーテンに力が付加されると、前記半硬質片が案内トラックと密封的に係合することを特徴とする請求項２９に記載のウィンドロックシャッタ用可撓性カーテン。
【請求項３６】
前記建物の開口部に固定された左右一対の案内トラックと組み合わせて使用され、前記可撓性カーテンに力が付加されると、前記自由なフラップ部分が案内トラックと密封的に係合することを特徴とする請求項２９に記載のウィンドロックシャッタ用可撓性カーテン。
【請求項３７】
空気、液体、物質の建物の開口部への望まない侵入を防止する工程であって、
前記工程が解除不可能なシート状の可撓性カーテンを採用しており、前記可撓性カーテンが側縁を有し、平面内に常駐し、平坦な半硬質片が、前記可撓性カーテンの側縁に固定されており、前記工程が、建物に固定された左右一対の案内トラックを有し、前記可撓性カーテンと半硬質片が駆動用孔を備えており、カーテン開閉駆動用ギアが、前記駆動用孔と相互係合することにより、前記可撓性カーテンを、第１の開放位置と第２の閉鎖位置の間で駆動し、
前記可撓性カーテンを前記第１の開放位置から第２の閉鎖位置へと下方に駆動する段階と、
外部からの力を正方向において建物の開口部に強制的に向ける状況下で前記可撓性カーテンを前記可撓性カーテンの平坦面において引張する段階と、
前記可撓性カーテンを引張する際に半硬質片を案内トラックと相互係合させる段階とを有することを特徴とする工程。
【請求項３８】
前記半硬質片が、前記可撓性カーテンに部分的に固定されていることを特徴とする請求項３７に記載の工程。
【請求項３９】
建物の開口部を被覆する可撓性カーテンシステムであって、
前記建物の開口部に固定されたフレームを有し、前記フレームが左右一対の案内トラックを有し、前記案内トラックが相互に対して鋭角を形成する位置にあり、前記鋭角が１°〜１０°の範囲内にあり、可撓性カーテンをさらに有し、前記可撓性カーテンに底部バーが通っており、前記底部バーが可撓性カーテンの外部に伸びる第１端部、第２端部を有し、前記第１、第２端部が変形部分を有し、前記底部バーの変形部分の各々が１°〜１０°の鋭角にある面を有し、前記可撓性カーテンが建物の開口部を被覆し、外部の力の下で内方へ偏向しており、前記可撓性カーテンの偏向が底部バーの変形部分をフレームと強制的に係合させることを特徴とする可撓性カーテンシステム。